(57)【要約】【課題】チャンネルの伝送容量を変更する際に、クライアント信号の断となる時間を短縮あるいは無瞬断とする。【解決手段】変更対象とは異なる波長（図では、λ２）のＯＴＵ２−ＩＦカード２０を準備し、２．４ＧクライアントＩＦカード１４の未接続のＳＥＬ１５の入力端子、ＤＩＳ１６の出力端子とＯＴＵ２−ＩＦカード２０の１組の入出力端子を接続する。そして、制御コマンド端子１７から制御コマンドを入力してＳＥＬ１５を切り替える。切替後には、ＯＴＵ１−ＩＦカード１２を装置から抜去して再利用する。【選択図】　図１
2004080244.tif 000002
【特許請求の範囲】
【請求項１】
複数のクライアント信号を波長多重して伝送することを目的とした波長多重伝送装置のうち、各波長多重光信号はオーバヘッドとペイロードを含むフレームを持ち、そのペイロードにクライアント信号を少なくとも１つ以上収容する光波長多重伝送装置において、
波長多重光信号を波長多重・波長分離する波長多重分離部と、
クライアント信号を２分岐する分岐回路と、２つの波長多重信号光部からのクライアント信号を選択するセレクタ回路とを備え、複数のクライアント光信号を電気信号に変換するクライアント信号部と、
装置への挿入、装置からの抜去が可能であり、前記波長多重分離部と前記クライアント信号部との間で、クライアント信号を波長多重信号光とするシングル型の第１の波長多重信号光部と、
装置への挿入、装置からの抜去が可能であり、多重化機能を有し、前記波長多重分離部と前記クライアント信号部との間で、複数のクライアント信号を電気多重して波長多重信号光とする多重型の第２の波長多重信号光部と
を具備し、
前記クライアント信号部における前記セレクタ回路を切り替えることにより、前記クライアント信号部と接続する波長多重信号光部を、前記第１の波長多重信号光部または前記第２の波長多重信号光部のいずれか一方に変更可能としたことを特徴とする光波長多重伝送装置。
【請求項２】
前記第１の波長多重信号光部および前記第２の波長多重信号光部は、各々、前記クライアント信号部へのクライアント信号供給タイミングの遅延時間を調整するためのバッファメモリを具備し、
前記第１の波長多重信号光部および前記第２の波長多重信号光部のいずれか一方は、切替元の波長多重信号光部と切替先の波長多重信号光部とから前記クライアント信号部の前記セレクタ回路へ入力される入力信号の遅延時間を比較する比較回路を具備し、
前記比較回路の比較結果に基づいて、前記バッファメモリの呼び出しタイミングを変更することを特徴とずる請求項１記載の光波長多重伝送装置。
【請求項３】
前記波長多重光信号のフレームは、ＩＴＵ−Ｔ　Ｇ．７０９で規定されているＯＴＵフレームであり、
前記比較回路は、前記ＯＴＵフレームのオーバヘッドのＭＦＡＳバイトに基づいて、双方の遅延時間を比較することを特徴とする請求項２記載の光波長多重伝送装置。
【請求項４】
前記切替元の波長多重信号光部のバッファメモリは、そのメモリ量の初期状態を、前記切替元の波長多重信号光部からの前記セレクタ回路に入力されるクライアント信号の遅延時間が、前記切替先の波長多重信号光部からの前記セレクタ回路に入力される信号の遅延時間よりも長くなるように設定され、
前記バッファメモリの呼び出しタイミング変更時、前記切替先のバッファメモリの呼び出しタイミングを変更することを特徴とする請求項２または３記載の光波長多重伝送装置。
【請求項５】
装置への挿入、装置からの抜去が可能であり、波長多重信号光部の切替作業時に、前記切替元の波長多重信号光部から一時的に切り替えられる第３の波長多重信号光部と、
装置への挿入、装置からの抜去が可能であり、前記切替元の波長多重信号光部における波長と同一の波長を取り扱い、前記第３の波長多重信号部から再度切替られる第４の波長多重信号光部と
を具備することを特徴とする請求項１ないし４のいずれかに記載の光波長多重伝送装置。
【請求項６】
複数のクライアント信号を波長多重して伝送することを目的とした波長多重伝送装置のうち、各波長多重光信号はオーバヘッドとペイロードを含むフレームを持ち、該ペイロードに収容される少なくとも１つ以上のクライアント信号に対するパス容量を変更するパス容量変更方法において、
複数のクライアント光信号を電気信号に変換するクライアント信号部に、クライアント信号を２分岐する分岐回路と、２つの波長多重信号光部からのクライアント信号を選択するセレクタ回路とを設け、
前記クライアント信号部の前記セレクタ回路を切り替えることにより、前記クライアント信号部と接続する波長多重信号光部を、前記波長多重分離部と前記クライアント信号部との間でクライアント信号を波長多重信号光とするシングル型の第１の波長多重信号光部、または多重化機能を有し、前記波長多重分離部と前記クライアント信号部との間で、複数のクライアント信号を電気多重して波長多重信号光とする第２の波長多重信号光部のいずれか一方に変更可能としたことを特徴とするパス容量変更方法。
【請求項７】
前記第１の波長多重信号光部および前記第２の波長多重信号光部に、各々、前記クライアント信号部へのクライアント信号供給タイミングの遅延時間を調整するためのバッファメモリを設け、
切替元の波長多重信号光部と切替先の波長多重信号光部とから前記クライアント信号部の前記セレクタ回路へ入力される入力信号の遅延時間を比較し、
前記比較結果に基づいて、前記バッファメモリの呼び出しタイミングを変更することを特徴とずる請求項６記載のパス容量変更方法。
【請求項８】
前記波長多重光信号のフレームを、ＩＴＵ−Ｔ　Ｇ．７０９で規定されているＯＴＵフレームとし、前記ＯＴＵフレームのオーバヘッドのＭＦＡＳバイトに基づいて、双方の遅延時間を比較することを特徴とする請求項７記載のパス容量変更方法。
【請求項９】
前記切替元の波長多重信号光部からの前記セレクタ回路に入力されるクライアント信号の遅延時間が、前記切替先の波長多重信号光部からの前記セレクタ回路に入力される信号の遅延時間よりも長くなるように、前記切替元の波長多重信号光部のバッファメモリのメモリ量の初期状態を設定し、
前記バッファメモリの呼び出しタイミング変更時、前記切替先のバッファメモリの呼び出しタイミングを変更することを特徴とする請求項７または８記載のパス容量変更方法。
【請求項１０】
切替作業時に、切替元の波長多重信号光部から、一時的に、暫定的な波長多重信号光部に切り替え、その後、前記暫定的な波長多重信号光部から、切替元の波長多重信号光部における波長と同一の波長を取り扱う切替先の波長多重信号光部に再度切り替えることを特徴とする請求項６ないし９のいずれかに記載のパス容量変更方法。
【発明の詳細な説明】
【０００１】
【発明の属する技術分野】
本発明は、ＩＴＵ−ＴのＯｐｔｉｃａｌ　Ｔｒａｎｓｐｏｒｔ　Ｎｅｔｗｏｒｋ　ＮＮＩで規定された信号もしくはその類似の信号を伝送するＯＴＮ伝送システムの波長多重技術を適用した装置に関するものであり、特に１波長当たりの伝送容量を短時間のうちに変更する方式をサポートするパス容量変更方法および光波長多重伝送装置に関する。
【０００２】
【従来の技術】
波長多重伝送装置は、複数の光信号を波長領域で多重して（波長多重して）、対向する波長多重装置に信号を伝送することを役割とする装置である。図１８は、ＩＴＵ−Ｔ　Ｇ．７０９　Ｉｎｔｅｒｆａｃｅｓ　ｏｆ　Ｏｐｔｉｃａｌ　Ｔｒａｎｓｐｏｒｔ　Ｎｅｔｗｏｒｋ（ＯＴＮ）に記載されているディジタルフレームを使用する波長多重装置の構成を示す機能ブロック図である。クライアント光信号は、クライアントインタフェース部１において光電気変換された後、ＯＴＮのディジタルフレームであるＯＴＵ（Ｏｐｔｉｃａｌ　Ｔｒａｎｓｐｏｒｔ　Ｕｎｉｔ）フレームにマッピングされ、再度、電気光変換され、波長多重化部２で光多重されて伝送路に送出される。
【０００３】
クライアントインタフェース部１の波長多重側のＥ／Ｏ部の光源の波長は、波長多重化部２で多重される光信号の波長が互いに重複しないように設計されている。受信側では、受信した波長多重光信号は、波長分離部３で各波長に分離され、光波長を識別子として所定のクライアントインタフェース部１に導かれて光電気変換された後、ＯＴＵフレームからクライアント信号が抽出され、電気光変換の過程をへて再度クライアント光信号として送出される。
【０００４】
また、複数のクライアント信号を電気多重するクライアントインタフェース部も利用できる。このような電気多重を併用することでシステムの大容量化を実現できる。例えば、２．４Ｇｂｉｔ／ｓのクライアント信号は、ＯＴＵ１（２．７Ｇｂｉｔ／ｓ）に収容される。ＯＴＵ２（１０．７Ｇｂｉｔ／ｓ）なら４本の２．４Ｇｂｉｔ／ｓクライアント信号をそれぞれＯＤＵ１（Ｏｐｔｉｃａｌ　Ｄａｔａ　Ｕｎｉｔ　１）に収容し多重化して収容できる。１波長（１チャンネル）当りに収容される２．４Ｇｂｉｔ／ｓのクライアント信号は、ＯＴＵ１よりＯＴＵ２が４倍、ＯＴＵ３なら１６倍になる。
【０００５】
ところで、図１８に示すようなＯＴＵ１（２．７Ｇｂｉｔ／ｓ）、ＯＴＵ２（１０．７Ｇｂｉｔ／ｓ）、ＯＴＵ３（４３Ｇｂｉｔ／ｓ）を混載できるような波長多重伝送装置では、伝送路設計は、条件の一番厳しいＯＴＵ３の基準として設計されているので、システムの最大伝送容量までシステムを使おうとすると、全ての波長（チャンネル）でＯＴＵ３のインタフェースを使わなくてはならない。
【０００６】
しかしながら、（ＯＴＵ３よりも安価な）ＯＴＵ１のクライアントインタフェース部を適用してバスを開通してしまえば、その波長（チャンネル）で伝送できるクライアント信号は、当該の２．４Ｇｂｉｔ／ｓクライアント信号１本のみとなり収容効率が悪くなる。
【０００７】
このインタフェース部ＯＴＵ１をインタフェース部ＯＴＵ２、ＯＴＵ３に変更して大容量化を実現しようと考えると、次のような手順となる。まず、開通済みの光バスを一旦切断する。必要であればＮＷ管理Ｏｐｓにてバスの廃止を行う。
次に、クライアントインタフェース部ＯＴＵ２あるいはＯＴＵ３を既存のクライアントインタフェース部ＯＴＵ１と差し替える。そして、改めてＯＴＵ２あるいはＯＴＵ３の光バスの開通を行う。この場合、当該のクライアント信号は、長時間断となることは避けられない。
【０００８】
【発明が解決しようとする課題】
しかしながら、従来技術による、ＯＴＮフレームを適用している波長多重伝送装置では、電気多重機能を用いて大容量のシステムを実現しやすいが、上述したように、既に使用されている波長（チャンネル）の容量を変更する場合には、クライアント信号を断とせざるを得なかった。また、該断時間は、クライアントインタフェースの交換などに要する時間以上であり、決して短くなかった。
【０００９】
この発明は上述した事情に鑑みてなされたもので、ＯＴＮ準拠の波長多重伝送装置において、あるいは、ＯＴＮと同様にクライアント信号をディジタルフレームに収容する方式を採用している波長多重伝送装置において、チャンネルの伝送容量を変更する際に、クライアント信号の断となる時間を短縮あるいは無瞬断とすることができるパス容量変更方法および光波長多重伝送装置を提供することを目的とする。
【００１０】
【課題を解決するための手段】
上述した問題点を解決するために、請求項１記載の発明では、複数のクライアント信号を波長多重して伝送することを目的とした波長多重伝送装置のうち、各波長多重光信号はオーバヘッドとペイロードを含むフレームを持ち、そのペイロードにクライアント信号を少なくとも１つ以上収容する光波長多重伝送装置において、波長多重光信号を波長多重・波長分離する波長多重分離部と、クライアント信号を２分岐する分岐回路と、２つの波長多重信号光部からのクライアント信号を選択するセレクタ回路とを備え、複数のクライアント光信号を電気信号に変換するクライアント信号部と、装置への挿入、装置からの抜去が可能であり、前記波長多重分離部と前記クライアント信号部との間で、クライアント信号を波長多重信号光とするシングル型の第１の波長多重信号光部と、装置への挿入、装置からの抜去が可能であり、多重化機能を有し、前記波長多重分離部と前記クライアント信号部との間で、複数のクライアント信号を電気多重して波長多重信号光とする多重型の第２の波長多重信号光部とを具備し、前記クライアント信号部における前記セレクタ回路を切り替えることにより、前記クライアント信号部と接続する波長多重信号光部を、前記第１の波長多重信号光部または前記第２の波長多重信号光部のいずれか一方に変更可能としたことを特徴とする。
【００１１】
また、請求項２記載の発明では、請求項１記載の光波長多重伝送装置において、前記第１の波長多重信号光部および前記第２の波長多重信号光部は、各々、前記クライアント信号部へのクライアント信号供給タイミングの遅延時間を調整するためのバッファメモリを具備し、前記第１の波長多重信号光部および前記第２の波長多重信号光部のいずれか一方は、切替元の波長多重信号光部と切替先の波長多重信号光部とから前記クライアント信号部の前記セレクタ回路へ入力される入力信号の遅延時間を比較する比較回路を具備し、前記比較回路の比較結果に基づいて、前記バッファメモリの呼び出しタイミングを変更することを特徴とずる。
【００１２】
また、請求項３記載の発明では、請求項２記載の光波長多重伝送装置において、前記波長多重光信号のフレームは、ＩＴＵ−Ｔ　Ｇ．７０９で規定されているＯＴＵフレームであり、前記比較回路は、前記ＯＴＵフレームのオーバヘッドのＭＦＡＳバイトに基づいて、双方の遅延時間を比較することを特徴とする。
【００１３】
また、請求項４記載の発明では、請求項２または３記載の光波長多重伝送装置において、前記切替元の波長多重信号光部のバッファメモリは、そのメモリ量の初期状態を、前記切替元の波長多重信号光部からの前記セレクタ回路に入力されるクライアント信号の遅延時間が、前記切替先の波長多重信号光部からの前記セレクタ回路に入力される信号の遅延時間よりも長くなるように設定され、前記バッファメモリの呼び出しタイミング変更時、前記切替先のバッファメモリの呼び出しタイミングを変更することを特徴とする。
【００１４】
また、請求項５記載の発明では、請求項１ないし４のいずれかに記載の光波長多重伝送装置において、装置への挿入、装置からの抜去が可能であり、波長多重信号光部の切替作業時に、前記切替元の波長多重信号光部から一時的に切り替えられる第３の波長多重信号光部と、装置への挿入、装置からの抜去が可能であり、前記切替元の波長多重信号光部における波長と同一の波長を取り扱い、前記第３の波長多重信号部から再度切替られる第４の波長多重信号光部とを具備することを特徴とする。
【００１５】
また、上述した問題点を解決するために、請求項６記載の発明では、複数のクライアント信号を波長多重して伝送することを目的とした波長多重伝送装置のうち、各波長多重光信号はオーバヘッドとペイロードを含むフレームを持ち、該ペイロードに収容される少なくとも１つ以上のクライアント信号に対するパス容量を変更するパス容量変更方法において、複数のクライアント光信号を電気信号に変換するクライアント信号部に、クライアント信号を２分岐する分岐回路と、２つの波長多重信号光部からのクライアント信号を選択するセレクタ回路とを設け、前記クライアント信号部の前記セレクタ回路を切り替えることにより、前記クライアント信号部と接続する波長多重信号光部を、前記波長多重分離部と前記クライアント信号部との間でクライアント信号を波長多重信号光とするシングル型の第１の波長多重信号光部、または多重化機能を有し、前記波長多重分離部と前記クライアント信号部との間で、複数のクライアント信号を電気多重して波長多重信号光とする第２の波長多重信号光部のいずれか一方に変更可能としたことを特徴とする。
【００１６】
また、請求項７記載の発明では、請求項６記載のパス容量変更方法において、前記第１の波長多重信号光部および前記第２の波長多重信号光部に、各々、前記クライアント信号部へのクライアント信号供給タイミングの遅延時間を調整するためのバッファメモリを設け、切替元の波長多重信号光部と切替先の波長多重信号光部とから前記クライアント信号部の前記セレクタ回路へ入力される入力信号の遅延時間を比較し、前記比較結果に基づいて、前記バッファメモリの呼び出しタイミングを変更することを特徴とずる。
【００１７】
また、請求項８記載の発明では、請求項７記載のパス容量変更方法において、前記波長多重光信号のフレームを、ＩＴＵ−Ｔ　Ｇ．７０９で規定されているＯＴＵフレームとし、前記ＯＴＵフレームのオーバヘッドのＭＦＡＳバイトに基づいて、双方の遅延時間を比較することを特徴とする。
【００１８】
また、請求項９記載の発明では、請求項７または８記載のパス容量変更方法において、前記切替元の波長多重信号光部からの前記セレクタ回路に入力されるクライアント信号の遅延時間が、前記切替先の波長多重信号光部からの前記セレクタ回路に入力される信号の遅延時間よりも長くなるように、前記切替元の波長多重信号光部のバッファメモリのメモリ量の初期状態を設定し、前記バッファメモリの呼び出しタイミング変更時、前記切替先のバッファメモリの呼び出しタイミングを変更することを特徴とする。
【００１９】
また、請求項１０記載の発明では、請求項６ないし９のいずれかに記載のパス容量変更方法において、切替作業時に、切替元の波長多重信号光部から、一時的に、暫定的な波長多重信号光部に切り替え、その後、前記暫定的な波長多重信号光部から、切替元の波長多重信号光部における波長と同一の波長を取り扱う切替先の波長多重信号光部に再度切り替えることを特徴とする。
【００２０】
この発明では、クライアント信号を２分岐する分岐回路と、２つの波長多重信号光部からのクライアント信号を選択するセレクタ回路とをクライアント信号部に設け、前記クライアント信号部における前記セレクタ回路を切り替えることにより、前記クライアント信号部と接続する波長多重信号光部を、前記第１の波長多重信号光部または前記第２の波長多重信号光部のいずれか一方に変更可能とした。したがって、チャンネルの伝送容量を変更する際に、クライアント信号の断となる時間を１ｍｓ以下、あるいは、無瞬断とすることが可能となる。
【００２１】
【発明の実施の形態】
以下、図面を用いて本発明の実施の形態を説明する。
【００２２】
Ａ．第１実施形態
図１は、本発明の第１実施形態による光波長多重伝送装置の構成を示すブロック図である。クライアントインタフェース部１０は、波長多重信号光部であるＯＴＵ１−ＩＦカード１２とクライアント信号部である２．４ＧクライアントＩＦカード１４から構成される。２．４Ｇ−ＩＦカード１４は、２系統の入力を切り替えるセレクタ（ＳＥＬ）１５と、１系統の入力を２分配する分配回路（ＤＩＳ）１６と、セレクタ１５の切替を行うための制御コマンドを入力する端子１７とを備える。
【００２３】
この２枚で構成されたクライアントインタフェース部１０の容量を変更（すなわち、クライアント信号の収容数を増加）する場合には、変更対象とは異なる波長（図では、λ２）のＯＴＵ２−ＩＦカード２０を準備し、２．４ＧクライアントＩＦカード１４の未接続のＳＥＬ１５の入力端子、ＤＩＳ１６の出力端子とＯＴＵ２−ＩＦカード２０の１組の入出力端子を接続する。そして、制御コマンド端子１７から制御コマンドを入力してＳＥＬ１５を切り替える。切替後には、ＯＴＵ１−ＩＦカード１２を装置から抜去して再利用する。
【００２４】
この方式では、クライアント信号が断となる時間は、ＳＥＬ１５の切替に要する時間（１ｍｓ以下）のみとなる。また、この切替方式では、波長多重伝送装置の波長多重数がｎであった場合、使用する波長数をｎ−１とすることで、必ず容量変更作業を行うことができる。ここでは、ＯＴＵ１からＯＴＵ２に変更する方法を示したが、ＯＴＵ２（２．４Ｇｂｉｔ／ｓのクライアント信号４本）からＯＴＵ３に容量変更することも同様に可能であるし、ＯＴＵ２（１０Ｇクライアント信号１本）からＯＴＵ３に容量変更することも同様に可能である。また、ここでは、ＩＴＵ−Ｔで期待されているフレームＯＴＵ１の例を示したが、クライアント信号を収容するフレームであれば、ＯＴＵフレームでなくてもよい。
【００２５】
Ｂ．第２実施形態
次に、図２は、本発明の第２実施形態による光波長多重伝送装置の構成を示すブロック図である。なお、図１に対応する部分には同一の符号を付けて説明を省略する。本第２実施形態では、ＯＴＵ１−ＩＦカード１２の受信側に位相調整用のメモリ２１を持たせる。またＯＴＵ２−ＩＦカード２２のＯＤＵ１フレーム処理部にも位相調整用のメモリ２３を持たせる。これらの位相調整用メモリ２２，２３を利用して、容量変更作業時にクライアント信号が瞬断しないように、無瞬断で切替を行うものである。
【００２６】
容量変更時に、ＯＴＵ１−ＩＦカード１２からＯＴＵ２−ＩＦカード２２に具備した位相比較回路２４に位相比較用データを入力する。位相比較にはＯＴＵフレームのオーバヘッドに規定されているＲｏｗ＃１Ｃｏｌｕｍｎ＃７のＭＦＡＳ（Ｍｕｌｔｉ　Ｆｒａｍｅ　Ａｌｉｇｎｍｅｎｔ　Ｓｉｇｎａｌ）バイトを使う。このバイトは、最大２５６の連続するフレームを識別できる。あるいは、他のＯＨ内のバイトを使って位相比較をしてもよい。
【００２７】
位相調整用メモリ２１，２３の容量は、２つの経路の違いを考慮して決める必要がある。ここで、図３および図４は、必要な位相調整用メモリ量を説明するための概念図である。図で分かるように、ＯＴＵ１−ＩＦカード１２には、位相調整用メモリ２１をＯＴＵ２−ＩＦカード２２より多く持つ必要がある。但し、伝送路は、同一の経路を通るため、伝送路遅延は大きくない。伝送路にＧ．６５２ファイバを使用し、波長をＣ−ｂａｎｄ帯の装置の場合の計算例を図５に示す。
ＯＴＵ１−ＩＦカード１２の位相調整用メモリ２１は、一部を固定遅延にしても良い。また、固定遅延の量を、以下のようにすれば、位相調整方向は、１方向に成るので位相調整が簡易化できる。
【００２８】
｛ＯＴＵ１−ＩＦカードの固定調整用メモリ＋ＯＴＵ１−ＩＦカードのＯＴＵ１エンコード時間＋ファイバ伝送遅延（波長λ１）＋ＯＴＵ１−ＩＦカードのＯＴＵ１デコード時間｝＞｛ＯＴＵ２−ＩＦカードのＯＤＵ１エンコード時間＋ＯＴＵ２−ＩＦカードのＯＴＵ２エンコード時間＋ファイバ伝送遅延（波長λ２）＋ＯＴＵ２−ＩＦカードのＯＴＵ２デコード時間＋ＯＴＵ２−ＩＦカードのＯＤＵ１デコード時間｝
【００２９】
位相調整が一方向のときの位相調整回路の実現例として、ＥＸＯＲを用いた位相比較回路のブロック図を図６に示す。ＥＸＯＲ回路３０は、分岐回路３１で分岐されたクライアント信号ＣＳ１と、分岐回路３２で分岐されたクライアント信号ＣＳ２との排他的論理和をとる。判定回路３３は、ＥＸＯＲ回路の出力に従ってクライアント信号ＣＳ１，ＣＳ２の一致、不一致を判断する。ＥＸＯＲ回路の出力は、双方の信号が完全に一致した場合には、「Ｈｉｇｈ」となり、不一致の場合には、完全に「Ｈｉｇｈ」にならない。
【００３０】
Ｃ．第３実施形態
次に、本発明の第３実施形態について説明する。本第３実施形態では、容量変更前の波長と容量変更後の波長とを同一とすることができる。波長を同一とすることで、例えば、光ＡＤＭ（アドドロップマックス）を用いた、ＷＤＭ−リング網などのように、複数の伝送装置が接続されたネットワークで有効となる。図７は、波長を同一にしないと容量変更ができない場合における光波長多重伝送システムの構成を示すブロック図である。ノード４０とノード４１との間、およびノード４１とノード４２との間では、波長λ１，λ２を用いている。また、ノード１とノード３との間では、波長λ３を用いている。ノード４０，４１間の波長λ１のチャンネルの容量を増加させるとき、波長λ４に変更してしまうと、空いている波長がなくなるので、ノード４０，４２間の波長λ３のチャンネルの容量増を実現できなくなる。
【００３１】
図８は、本発明の第３実施形態による光波長多重伝送装置の構成を示すブロック図である。なお、図２に対応する部分には同一の符号を付けて説明を省略する。前述した第１、第２実施形態と異なるのは、容量変更作業用に専用のＩＦカード５０を用いることである。図２でＯＴＵ２−ＩＦカード２２に備えられていた比較回路２４は、図８に示すように、両変更作業用カード５０のみに具備すればよい。
【００３２】
次に、本第３実施形態における変更の作業の手順について説明する。ここで、図９ないし図１３を参照して説明する。図９では、２．４Ｇｂｉｔ／ｓのクライアント信号をＯＴＵ１フレームに収容している状態を示している。ここでは、ＯＴＵ１−ＩＦカード１２と２．４ＧクライアントＩＦカード１４とで構成されている。ＯＴＵ１−ＩＦカード１２の光源の波長はλ１とする。図１０では、容量変更作業用ＩＦカード５０を装置に挿入し、２．４ＧクライアントＩＦカード１４内のセレクタ１５と分配回路１６とに接続する。
【００３３】
続いて、容量変更作業用ＩＦカード５０内の遅延比較回路２４で比較してバッファメモリを調整し、無瞬断で切替を行う。このとき、容量変更作業用ＩＦカード５０の波長をλｎとし、λｎは容量変更作業専用に予約しておく。切替作業後に、図１１に示すように、ＯＴＵ１−ＩＦカード１２を抜去する。続いて、図１２に示すように、新しいＯＴＵ２−ＩＦカード２２を挿入し、容量変更作業用ＩＦカード５０からクライアント信号を切り替える。最後に、図１３に示すように、容量変更作業用ＩＦカード５０を抜去する。
【００３４】
また、ＯＴＵ２からＯＴＵ３に増設するときにも、クライアント信号が２．４Ｇｂｉｔ／ｓである場合には、同じ容量変更作業用ＩＦカード５０を使用できる。図１４ないし図１７を参照して手順を説明する。
【００３５】
図１４では、容量変更作業用ＩＦカード５０を装置に挿入し、２．４ＧクライアントＩＦカード１４内のセレクタ１５と分配回路１６とに接続する。続いて、容量変更作業用ＩＦカード５０内の遅延比較回路２４で比較してバッファメモリを調整し、無瞬断で切替を行う。切替作業後に、図１５に示すように、ＯＴＵ２−ＩＦカード２２を抜去する。続いて、図１６に示すように、新しいＯＴＵ３−ＩＦカード６０を挿入し、容量変更作業用ＩＦカード５０からクライアント信号を切り替える。最後に、図１７に示すように、容量変更作業用ＩＦカード５０を抜去する。
【００３６】
以上、この発明の実施形態を、図面を参照して詳述してきたが、具体的な構成は、上記実施形態に限られるものではなく、この発明の要旨を逸脱しない範囲の設計等も含まれる。
【００３７】
【発明の効果】
以上説明したように、本発明によれば、クライアント信号を２分岐する分岐回路と、２つの波長多重信号光部からのクライアント信号を選択するセレクタ回路とをクライアント信号部に設け、前記クライアント信号部における前記セレクタ回路を切り替えることにより、前記クライアント信号部と接続する波長多重信号光部を、前記第１の波長多重信号光部または前記第２の波長多重信号光部のいずれか一方に変更可能としたので、チャンネルの伝送容量を変更する際に、クライアント信号の断となる時間を短縮あるいは無瞬断とすることができるという利点が得られる。
【図面の簡単な説明】
【図１】本発明の第１実施形態による光波長多重伝送装置の構成を示すブロック図である。
【図２】本発明の第２実施形態による光波長多重伝送装置の構成を示すブロック図である。
【図３】本第２実施形態にかかり、必要な位相調整用メモリ量を説明するための概念図である。
【図４】本第２実施形態にかかり、必要な位相調整用メモリ量を説明するための概念図である。
【図５】伝送路にＧ．６５２ファイバを使用し、波長をＣ−ｂａｎｄ帯の装置の場合の計算例を示す概念図である。
【図６】位相調整が一方向のときの位相調整回路の実現例として、ＥＸＯＲを用いた位相比較回路のブロック図である。
【図７】本発明の第３実施形態において、波長を同一にしないと容量変更ができない場合における光波長多重伝送システムの構成を示すブロック図である。
【図８】本発明の第３実施形態による光波長多重伝送装置の構成を示すブロック図である。
【図９】本第３実施形態における変更の作業の手順について説明するためのブロック図である。
【図１０】本第３実施形態における変更の作業の手順について説明するためのブロック図である。
【図１１】本第３実施形態における変更の作業の手順について説明するためのブロック図である。
【図１２】本第３実施形態における変更の作業の手順について説明するためのブロック図である。
【図１３】本第３実施形態における変更の作業の手順について説明するためのブロック図である。
【図１４】本第３実施形態において、ＯＴＵ２からＯＴＵ３に増設する際の変更の作業の手順について説明するためのブロック図である。
【図１５】本第３実施形態において、ＯＴＵ２からＯＴＵ３に増設する際の変更の作業の手順について説明するためのブロック図である。
【図１６】本第３実施形態において、ＯＴＵ２からＯＴＵ３に増設する際の変更の作業の手順について説明するためのブロック図である。
【図１７】本第３実施形態において、ＯＴＵ２からＯＴＵ３に増設する際の変更の作業の手順について説明するためのブロック図である。
【図１８】従来技術によるＯＴＮ波長多重伝送装置装置の構成を示す機能ブロック図である。
【符号の説明】
１０クライアントインタフェース部
１２　ＯＴＵ１−ＩＦカード（第１の波長多重信号光部）
１４　２．４ＧクライアントＩＦカード（クライアント信号部）
１５　ＳＥＬ（セレクタ回路）
１６　ＤＩＳ（分岐回路）
２０　ＯＴＵ２−ＩＦカード（第２の波長多重信号光部）
２１，２３　バッファメモリ
２２　ＯＴＵ２−ＩＦカード
２４　比較回路
３０　ＥＸＯＲ回路
３１　判定回路
５０　容量変更作業用ＯＴＵ２−ＩＦカード（第３の波長多重信号光部）
６０　ＯＴＵ３−ＩＦカード（第４の波長多重信号光部）
【図１】
2004080244.tif 000003
【図２】
2004080244.tif 000004
【図３】
2004080244.tif 000005
【図４】
2004080244.tif 000006
【図５】
2004080244.tif 000007
【図６】
2004080244.tif 000008
【図７】
2004080244.tif 000009
【図８】
2004080244.tif 000010
【図９】
2004080244.tif 000011
【図１０】
2004080244.tif 000012
【図１１】
2004080244.tif 000013
【図１２】
2004080244.tif 000014
【図１３】
2004080244.tif 000015
【図１４】
2004080244.tif 000016
【図１５】
2004080244.tif 000017
【図１６】
2004080244.tif 000018
【図１７】
2004080244.tif 000019
【図１８】
2004080244.tif 000020